(57)【要約】【課題】屋内での射撃訓練を可能とし、かつ、実包と同等の見出しなどの射撃訓練を可能とする空包を提供する。【解決手段】爆紛５が納められた雷管２と、この雷管２が薬莢底部１１の薬莢室９に収容された薬莢６と、薬莢体部７の内部に取り付けられたガイド筒１２と、このガイド筒１２に封入された微量の空包薬１５と、ガイド筒１２を密封してガイド先端部１３に詰められた栓部材１６とから空包１が構成され、空包薬１５から生成された燃焼ガスによって栓部材１６が発射される。【選択図】図１
2018054183.tif 000002
【特許請求の範囲】
【請求項１】
雷管と、この雷管が備えられた薬莢と、この薬莢を密封する栓部材とから構成され、
前記雷管からの燃焼ガスによって前記栓部材が発射される、
ことを特徴とする空包。
【請求項２】
前記薬莢の内部に約１０ｍｇの空包薬が備えられた、
ことを特徴とする請求項１に記載された空包。
【請求項３】
前記薬莢の内部にガイド筒が備えられ、このガイド筒に前記空包薬が封入されると共に前記栓部材が詰められた、
ことを特徴とする請求項２に記載された空包。
【請求項４】
前記栓部材の素材が弾性体である、
ことを特徴とする請求項１から請求項３のいずれか１項に記載された空包。
【請求項５】
前記栓部材が球体、錐体または柱体である、
ことを特徴とする請求項１から請求項４のいずれか１項に記載された空包。
【発明の詳細な説明】
【技術分野】
【０００１】
本発明は、射撃訓練に用いられる空包に関するものである。
【背景技術】
【０００２】
従来、例えば、小銃や機関銃などの火器による射撃訓練で用いられる空包として、下記特許文献１に記載された空包がある。この空包は、図２に示されているとおり、後端に雷管１０２が備えられた薬莢１０６の内部に空包薬１１５が封入され、薬莢１０６の前端に紙栓（図示省略）が詰められて前筒部１１７で封止されている。前筒部１１７はラッカー剤などで封入され、カシメ加工によって薬莢１０６に固着されている。一般的に、空包薬１１５の量は約５００ｍｇである。
【０００３】
このような空包１００が火器に装填された状態で、雷管１０２が撃針（図示省略）によって打撃されると、雷管１０２に封入された爆紛１０５が加圧されることで燃焼し、燃焼ガスによって空包薬１１５に着火する。空包薬１１５が燃焼する際、燃焼ガスの圧力によって前筒部１１７が破裂することで音が発生する。
【先行技術文献】
【特許文献】
【０００４】
【特許文献１】特開２００９−２２９０２２号公報
【発明の概要】
【発明が解決しようとする課題】
【０００５】
しかし、従来の空包は、上記したとおり、空包薬が燃焼する際、燃焼ガスの圧力により前筒部が破裂することで大きな射撃音が発生するため、屋内で用いられると、反響によって射撃手の聴覚に支障をきたす可能性がある。また、燃焼ガスが室内に充満すると、射撃手が燃焼ガスの刺激を受ける可能性がある。したがって、屋内での空包の使用は好ましくない。さらに、従来の空包は、紙栓や燃焼した空包薬の残渣などが飛散するものの、弾丸が発射されないため、照準動作や、照門から照星を通して的を見るいわゆる見出しなど、実包における動作を模した訓練ができない。
【０００６】
本発明は、上記の実情に鑑みて提案されたものである。すなわち、屋内での射撃訓練を可能とし、かつ、実包と同等の見出しなどの射撃訓練を可能とする空包の提供を目的とする。
【課題を解決するための手段】
【０００７】
上記目的を達成するために、本発明に係る空包は、雷管と、この雷管が備えられた薬莢と、この薬莢を密封する栓部材とから構成され、前記雷管からの燃焼ガスによって前記栓部材が発射される、ことを特徴とする。
【０００８】
本発明に係る空包は、前記薬莢の内部に約１０ｍｇの空包薬が備えられた、ことを特徴とする。
【０００９】
本発明に係る空包は、前記薬莢の内部にガイド筒が備えられ、このガイド筒に前記空包薬が封入されると共に前記栓部材が詰められた、ことを特徴とする。
【００１０】
本発明に係る空包は、前記栓部材の素材が弾性体である、ことを特徴とする。
【００１１】
本発明に係る空包は、前記栓部材が球体、錐体または柱体である、ことを特徴とする。
【発明の効果】
【００１２】
本発明に係る空包は上記した構成である。すなわち、空包薬が備えられていないことから、空包薬の燃焼と燃焼ガスの圧力による一部の破裂や、破裂に伴う音の発生がないため、空包薬が用いられた空包と比較して、射撃音が抑えられると共に、屋内での反響が抑えられる。したがって、屋内での射撃訓練を実現することができる。また、栓部材が、雷管の燃焼ガスによって発射されるため、射撃において照準動作や見出しなどが促され、栓部材が的中すると的に弾痕が残る。したがって、実包と同等の見出しなどの射撃訓練を実現することができる。
【００１３】
本発明に係る空包は、薬莢の内部に約１０ｍｇの空包薬が備えられている。すなわち、従来の空包と比較して、空包薬の量が少ないため、空包薬の燃焼と燃焼ガスの圧力による一部の破裂や、破裂に伴う音の発生による射撃音が抑えられる。したがって、屋内での射撃訓練を実現することができる。
【００１４】
本発明に係る空包は、薬莢の内部にガイド筒が備えられ、このガイド筒に空包薬が封入されると共に栓部材が詰められている。このガイド筒によって燃焼ガスの流路が形成され、ガイド筒を通じて燃焼ガスを適切に誘導することができる。また、ガイド筒を通すことで、発射する際の栓部材の弾道を補正することができる。
【００１５】
本発明に係る空包は、栓部材の素材が弾性体である。すなわち、圧縮された栓部材が復元力によって薬莢に詰まっている構成であるため、栓部材が雷管などの燃焼ガスによって容易に発射される。したがって、実包と同等の射撃訓練を実現することができる。
【００１６】
本発明に係る空包は、栓部材が球体、錐体または柱体である。この構成により、発射される栓部材の空気抵抗を抑えることができ、また、仮に人体などに当たった場合であっても、身体の損傷を最小限に抑えることができる。
【図面の簡単な説明】
【００１７】
【図１】本発明の実施形態に係る空包の断面が示された断面図である。
【図２】従来の空包の一部の断面が示された部分断面図である。
【発明を実施するための形態】
【００１８】
以下に、本発明の実施形態に係る空包を図面に基づいて説明する。図１は、本実施形態に係る空包１の断面が示されている。なお、以下の説明では、空包１の長手方向において、栓部材１６が発射する方向を前方とし、反対方向を後方とする。
【００１９】
図１に示されているとおり、空包１は、刺突や打撃によって発火する雷管２と、この雷管２が内部に収められた薬莢６と、この薬莢６の内部に備えられたガイド筒１２と、薬莢６の内部においてガイド筒１２に封入された空包薬１５と、ガイド筒１２を密封する栓部材１６とから構成されている。
【００２０】
薬莢６は、例えば真鍮などの金属製やプラスチック製などである。薬莢６は筒状であり、薬莢体部７の後端である薬莢底部１１に雷管室９が形成され、薬莢体部７の先端である莢口８が開放されている。薬莢体部７の内部と雷管室９とは、噴火孔１０で繋がっている。雷管室９は、雷管２がカシメ加工などによって取り付けられ、薬莢体部７の内部は、ガイド筒１２が挿入されて取り付けられている。
【００２１】
雷管２は、器型の雷管体３の内部に、発火金４および爆紛５が収容されている。爆紛５は、例えば、その組成に鉛を含まない無鉛爆粉であって、ジアゾジニトロフェノール、硝酸バリウム、ケイ化カルシウム及び三硫化アンチモンが含まれている。特に、ジアゾジニトロフェノールが２０〜４０重量％、硝酸バリウムが２０〜４０重量％、ケイ化カルシウムが５〜３０重量％、三硫化アンチモンが重量１〜２０％からなるものとし、テトラセンを０〜２０重量％、ガラス粉を０〜２０重量％含み、これらの合計１００重量％に対し、０．５〜１０重量％の粘調剤をさらに添加すると好ましい。さらに、ジアゾジニトロフェノールが２０〜４０重量％、硝酸バリウムが２０〜４０重量％、ケイ化カルシウムが５〜３０重量％、三硫化アンチモンが重量１〜２０％からなるものとし、テトラセンを０〜２０重量％、ガラス粉を０〜２０重量％含んだ無鉛爆粉の組成において、これらの合計１００重量％に対し、０〜１０重量％のタルク若しくは二酸化ケイ素、またはタルク及び二酸化ケイ素の混合物を添加することが好ましい。また、トリシネートを組成とするものなどが含まれていてもよい。爆紛５の量は、約１０〜１００ｍｇである。なお、雷管２は、センターファイア方式のボクサー型として説明されているが、発火金４が一体化したベルダン型であってもよく、その他、バッテリ型などであってもよい。
【００２２】
ガイド筒１２は、例えば金属製であり、薬莢体部７とほぼ同じ長さに形成されている。ガイド筒１２は、両端が開放された筒状に形成されている。ガイド筒１２の後端であるガイド後端部１４は、薬莢６の噴火孔１０に連通され、先端であるガイド先端部１３は、莢口８と揃えられて莢口８がカシメ加工によってガイド先端部１３に嵌合されている。ガイド筒１２は、内部に空包薬１５が封入され、ガイド先端部１３に栓部材１６が詰められて封止されている。なお、ガイド筒１２は、空包薬１５から生成された燃焼ガスによる圧力に耐えられる素材であれば、任意である。
【００２３】
空包薬１５は、例えば、シングルベース、ダブルベース、トリプルベース、マルチベースなどの無煙火薬などである。威力低減のためには、シングルベースが望ましい。空包薬１５の量は、約１０ｍｇである。
【００２４】
栓部材１６は、僅かな圧縮と復元が可能な軽量の弾性体であり、例えば、ポリエチレン、ポリプロピレン、ポリ塩化ビニル、ポリスチレンなどの樹脂製、またはコルク製などである。栓部材１６は、圧縮された状態でガイド先端部１３に詰められている。ガイド筒１２において栓部材１６が詰められる位置は、ガイド先端部１３に限られず、ガイド先端部１３よりも後方の奥側であってもよい。なお、栓部材１６の素材は、空包薬１５の酸化の防止や防湿することができる程度に高密度であり、かつ、圧縮されてガイド先端部１３に詰められて封止することができ、さらに、仮に人体に当たった場合において身体に外傷を負わせない構成であれば、任意である。
【００２５】
また、栓部材１６は、例えば球体、錐体または柱体などである。ここで、球体とは、断面が真円のものの他、断面が楕円形や長孔形状のものも含まれる。また、錐体とは、円錐、三角錐、四角錐の他、多角錐が含まれる。また、柱体とは、三角柱、四角柱の他、多角柱が含まれる。なお、栓部材１６は、仮に人体に当たった場合において身体に外傷を負わせない構成であれば、任意である。
【００２６】
このように構成された空包１は、火器（図示省略）に装填された状態で用いられる。詳説すれば、火器の引き金が引かれ、撃針によって雷管２が打撃されると、雷管２に収容された爆紛５が加圧されることで燃焼し、高温の燃焼ガスが生成される。燃焼ガスは、噴火孔１０を通ってガイド筒１２の内部に流れ、空包薬１５に着火する。空包薬１５が燃焼し、高温の燃焼ガスが生成されると、ガイド筒１２の内圧が上昇し、燃焼ガスの圧力によって栓部材１６が推力を受けて発射する。栓部材１６の射程は、約５ｍ以下である。
【００２７】
以上のとおり、空包１が構成されている。次に、空包１の効果を説明する。
【００２８】
上記したとおり、空包１は、空包薬１５の量が約１０ｍｇである。すなわち、従来の空包と比較して、空包薬１５の量が少ないため、射撃音が抑えられると共に、屋内での反響が抑えられる。したがって、屋内での射撃訓練を実現することができる。また、栓部材１６が、空包薬１５から生成された燃焼ガスの圧力によって発射されるため、射撃において、正しい見出し、狙いなどの照準動作が促され、栓部材１６が的中すると的に弾痕が残る。したがって、実包と同等の見出しなどの射撃訓練を実現することができる。
【００２９】
空包１は、薬莢体部７の内部にガイド筒１２が挿入されて取り付けられており、ガイド筒１２の内部に空包薬１５が封入され、かつ、ガイド先端部１３に栓部材１６が詰められて封止されている。この構成により、このガイド筒１２によって燃焼ガスの流路が形成され、ガイド筒１２を通じて燃焼ガスを適切に誘導することができる。また、ガイド筒１２を通すことで、発射する際の栓部材１６の弾道を補正することができる。特に、栓部材１６が、ガイド先端部１３よりも後方の奥側に詰められた場合、栓部材１６の弾道の補正や、射程の調節をすることができる。
【００３０】
また、栓部材１６は、例えば、ポリエチレン、ポリプロピレン、ポリ塩化ビニル、ポリスチレンなどの樹脂製である。すなわち、圧縮された栓部材１６が復元力によってガイド筒１２に詰まっている構成であるため、空包薬１５から生成された燃焼ガスの圧力によって容易に発射される。したがって、実包と同等の射撃訓練を実現することができる。
【００３１】
また、栓部材１６は球体、錐体または柱体である。特に、球体であれば、発射される栓部材１６の空気抵抗を抑えることができ、また、仮に人体などに当たった場合であっても、身体の損傷を最小限に抑えることができる。
【００３２】
なお、上記した実施形態の他の実施形態として、空包は、薬莢体部にガイド筒が取り付けられていない構成であってもよい。すなわち、他の実施形態に係る空包は、薬莢体部の内部に空包薬が封入され、栓部材が莢口に詰められていてもよい。
【００３３】
また、他の実施形態として、空包は、空包薬が備えられていない構成であってもよい。すなわち、他の実施形態に係る空包は、雷管の爆紛から生成された燃焼ガスによって栓部材が発射される構成であってもよい。この場合、空包薬の燃焼と燃焼ガスの圧力による一部の破裂や、破裂に伴う音の発生がないため、空包薬が用いられた空包と比較して、更に射撃音が抑えられる。
【００３４】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００３５】
１                空包
２                雷管
３                雷管体
４                発火金
５                爆紛
６                薬莢
７                薬莢体部
８                莢口
９                雷管室
１０              噴火孔
１１              薬莢底部
１２              ガイド筒
１３              ガイド先端部
１４              ガイド後端部
１５              空包薬
１６              栓部材
１００            空包
１０２            雷管
１０５            爆紛
１０６            薬莢
１１５            空包薬
１１７            前筒部
【図１】
2018054183.tif 000003
【図２】
2018054183.tif 000004